(57)【要約】【課題】  本発明は、簡単な作業で複数の画像を立体的に観賞することのできる立体画像観賞具を提供する。【解決手段】  一対の覗き部を有する第一部位と、一対の視差画像をそれぞれ含む二つ以上の画像配置領域で構成される第二部位と、それぞれが第一部位及び第二部位と繋がる一対の第三部位とを含む本体部を備え、本体部は、第一部位と一対の第三部位のそれぞれとの間、第二部位と一対の第三部位のそれぞれとの間、及び隣り合う画像配置領域同士の間に配置された複数の折り曲げ部を含み、第一部位、第二部位及び第三部位が繋がる連結方向における一対の第三部位のそれぞれの長さ及び同方向における二つ以上の画像配置領域のそれぞれの長さは、同一又は略同一に設定され、選択される単一の画像配置領域と第一部位とが対向可能に構成される。【選択図】図１
2018197839.tif 000002
【特許請求の範囲】
【請求項１】
間隔をあけて配置された一対の覗き部であって、観賞者が接眼する一対の覗き部を有する第一部位と、一対の覗き部が間隔をあける方向と同方向に並ぶ一対の視差画像をそれぞれ含む二つ以上の画像配置領域であって、連続して一列に並ぶ二つ以上の画像配置領域で構成される第二部位と、第一部位の両端と第二部位における二つ以上の画像配置領域の並ぶ方向の両端とを接続し、それぞれが第一部位及び第二部位と繋がる一対の第三部位とを含む本体部を備え、該本体部は、第一部位と一対の第三部位のそれぞれとの間、第二部位と一対の第三部位のそれぞれとの間、及び隣り合う画像配置領域同士の間に配置された複数の折り曲げ部であって、それぞれが折り曲げ自在な複数の折り曲げ部を含み、第一部位、第二部位及び第三部位が繋がる連結方向における一対の第三部位のそれぞれの長さ及び同方向における二つ以上の画像配置領域のそれぞれの長さは、同一又は略同一に設定され、選択される単一の画像配置領域と第一部位とが対向可能に構成されることを特徴とする立体画像観賞具。
【請求項２】
選択される単一の画像配置領域と該画像配置領域と対向する第一部位との間隔を一定又は略一定に維持させる間隔維持部を更に備え、間隔維持部は、第一部位における前記連結方向と直交する方向の端部又は選択された単一の画像配置領域における前記連結方向と直交する方向の端部の何れか一方に接続される接続部と、第一部位における前記連結方向と直交する方向の端部又は選択された単一の画像配置領域における前記連結方向と直交する方向の端部の何れか他方に干渉可能な干渉部とを含み、接続部が第一部位の端部又は単一の画像配置領域における端部の何れか一方に接続され且つ干渉部が第一部位の端部又は単一の画像配置領域における端部の何れか他方に干渉した状態で、第一部位と選択される単一の画像配置領域との間隔を、一対の覗き部から視認した一対の視差画像が立体的に視認可能となる一対の覗き部からの焦点距離と同一又は略同一の間隔で維持させる請求項１に記載の立体画像観賞具。
【請求項３】
一対の第三部位のうちの少なくとも何れか一方は、開口部を有している請求項１又は２に記載の立体画像観賞具。
【発明の詳細な説明】
【技術分野】
【０００１】
本発明は、一対の視差画像を単一の立体画像として観賞するための立体画像観賞具に関する。
【背景技術】
【０００２】
従来から、一対の視差画像を単一の立体画像として観賞するための立体画像観賞具が提供されている（例えば、特許文献１参照）。
【０００３】
かかる立体画像観賞具は、一対の視差画像を有する観賞対象体と、観賞対象体が取り換え可能に取り付けられる本体とを備える。
【０００４】
観賞対象体は、第一面と該第一面の反対側の第二面とを有するシート体である。かかる観賞対象体の第一面には、一対の視差画像が設けられる。一対の視差画像のそれぞれは、写真や絵画等である。一対の視差画像は、観賞対象体に対して直接印刷されたり、該視差画像を印刷したシートを観賞対象体に貼り付けられたりすることで、観賞対象体の第一面上に横並びに配置される。
【０００５】
本体は、略六面体状の箱であり、六つの平面部を有する。六つの平面部のうちの一つの平面部は、当該本体の内側を向く内面を有し、その内面には、観賞対象体を保持可能な保持構造が設けられる。この保持構造の設けられた平面部と対向する別の平面部には、観賞者が接眼する（両目で覗く）ための一対の覗き部が設けられている。一対の覗き部は、横並びに配置される。すなわち、一対の覗き部は、保持構造に保持された観賞対象体の一対の視差画像に対応して配置される。なお、一対の覗き部のそれぞれには、必要に応じてレンズが配置される。
【０００６】
上記構成の立体画像観賞具は、観賞者が保持構造に保持された観賞対象体の一対の視差画像を一対の覗き部から交差視或いは平行視することで、その一対の視差画像を一つの立体画像として観賞できる。
【０００７】
ところで、観賞の対象が複数ある場合、上記構成の立体観賞具では、観賞対象体を交換しなければならず、その作業が煩雑である。
【先行技術文献】
【特許文献】
【０００８】
【特許文献１】実用新案登録第３０９４２１７号公報
【発明の概要】
【発明が解決しようとする課題】
【０００９】
そこで、本発明は、簡単な作業で複数の画像を立体的に観賞することのできる立体画像観賞具を提供することを課題とする。
【課題を解決するための手段】
【００１０】
本発明に係る立体画像観賞具は、間隔をあけて配置された一対の覗き部であって、観賞者が接眼する一対の覗き部を有する第一部位と、一対の覗き部が間隔をあける方向と同方向に並ぶ一対の視差画像をそれぞれ含む二つ以上の画像配置領域であって、連続して一列に並ぶ二つ以上の画像配置領域で構成される第二部位と、第一部位の両端と第二部位における二つ以上の画像配置領域の並ぶ方向の両端とを接続し、それぞれが第一部位及び第二部位と繋がる一対の第三部位とを含む本体部を備え、該本体部は、第一部位と一対の第三部位のそれぞれとの間、第二部位と一対の第三部位のそれぞれとの間、及び隣り合う画像配置領域同士の間に配置された複数の折り曲げ部であって、それぞれが折り曲げ自在な複数の折り曲げ部を含み、第一部位、第二部位及び第三部位が繋がる連結方向における一対の第三部位のそれぞれの長さ及び同方向における二つ以上の画像配置領域のそれぞれの長さは、同一又は略同一に設定され、選択される単一の画像配置領域と第一部位とが対向可能に構成されることを特徴とする。
【００１１】
本発明の一態様として、選択される単一の画像配置領域と該画像配置領域と対向する第一部位との間隔を一定又は略一定に維持させる間隔維持部を更に備え、間隔維持部は、第一部位における前記連結方向と直交する方向の端部又は選択された単一の画像配置領域における前記連結方向と直交する方向の端部の何れか一方に接続される接続部と、第一部位における前記連結方向と直交する方向の端部又は選択された単一の画像配置領域における前記連結方向と直交する方向の端部の何れか他方に干渉可能な干渉部とを含み、接続部が第一部位の端部又は単一の画像配置領域における端部の何れか一方に接続され且つ干渉部が第一部位の端部又は単一の画像配置領域における端部の何れか他方に干渉した状態で、第一部位と選択される単一の画像配置領域との間隔を、一対の覗き部から視認した一対の視差画像が立体的に視認可能となる一対の覗き部からの焦点距離と同一又は略同一の間隔で維持させるようにしてもよい。
【００１２】
これらの場合、一対の第三部位のうちの少なくとも何れか一方は、開口部を有していてもよい。
【発明の効果】
【００１３】
本発明の立体画像観賞具によれば、簡単な作業で複数の画像を立体的に観賞することができるという優れた効果を奏し得る。
【図面の簡単な説明】
【００１４】
【図１】図１は、本発明の一実施形態に係る立体画像観賞具の全体斜視図である。
【図２】図２は、同実施形態に係る立体画像観賞具を展開した紙材の平面図である。
【図３】図３は、同実施形態に係る立体画像観賞具の使用時の側面図である。
【図４】図４は、同実施形態に係る立体画像観賞具の使用時の側面図である。
【図５】図５は、同実施形態に係る立体画像観賞具の使用時の側面図である。
【図６】図６は、同実施形態に係る立体画像観賞具の使用時の概略断面図である。
【図７】図７は、本発明の他実施形態に係る立体画像観賞具の概略側面視図である。
【図８】図８（ａ）〜図８（ｄ）は、他実施形態に係る立体画像観賞具の使用時の側面図であって、異なる画像配置領域を選択したときの使用時の側面図である。
【図９】図９は、本発明の別の実施形態に係る立体画像観賞具の概略側面視図である。
【図１０】図１０（ａ）〜図１０（ｅ）は、別の実施形態に係る立体画像観賞具の使用時の側面図であって、異なる画像配置領域を選択したときの使用時の側面図である。
【発明を実施するための形態】
【００１５】
以下、本発明の一実施形態について、添付図面を参照しつつ説明する。
【００１６】
図１に示す如く、本実施形態に係る立体画像観賞具１は、観賞者が接眼する（覗く）一対の覗き部２００，２００及び一対の覗き部２００，２００から視認可能な一対の視差画像Ｐ，Ｐを有する本体部２と、一対の覗き部２００，２００と一対の視差画像Ｐ，Ｐとの間隔を所定の間隔で維持させる間隔維持部３とを備える。
【００１７】
本体部２は、間隔をあけて配置された一対の覗き部２００，２００であって、観賞者が接眼する一対の覗き部２００，２００を有する第一部位２０と、一対の覗き部２００，２００が間隔をあける方向と同方向に並ぶ一対の視差画像Ｐ，Ｐをそれぞれ含む二つ以上の画像配置領域２１０…であって、連続して一列に並ぶ二つ以上（本実施形態では三つ）の画像配置領域２１０…で構成される第二部位２１と、第一部位２０の両端と第二部位２１における二つ以上の画像配置領域２１０…の並ぶ方向の両端とを接続し、それぞれが第一部位２０及び第二部位２１と繋がる一対の第三部位２２，２２とを含む。また、本体部２は、第一部位２０と一対の第三部位２２，２２のそれぞれとの間、第二部位２１と一対の第三部位２２，２２のそれぞれとの間、及び隣り合う画像配置領域２１０…同士の間に配置された複数の折り曲げ部２３…であって、それぞれが折り曲げ自在な複数の折り曲げ部２３…を含む。
【００１８】
第一部位２０、第二部位２１及び第三部位２２，２２が繋がる連結方向における一対の第三部位２２，２２のそれぞれの長さ及び同方向における二つ以上の画像配置領域２１０…のそれぞれの長さは、同一又は略同一に設定される。また、連結方向における第一部位２０の長さは、前記連結方向における第三部位２２の長さと同一又は略同一に設定される。
【００１９】
本実施形態に係る本体部２は、図２に示す如く、長方形状をなす一枚の紙材Ｍから作製される。紙材Ｍは、第一部位２０となる領域、第二部位２１となる領域、及び第三部位２２，２２となる領域を含み、これらの領域の境界に折り曲げ自在な折り曲げ部２３が設けられる。
【００２０】
本実施形態において、紙材Ｍは、本体部２になる領域に加え、間隔維持部３になる領域を含む。本体部２になる領域には、第一部位２０になる領域、一方の第三部位２２になる領域、第二部位２１になる領域、他方の第三部位２２になる領域が、その順で並び、両端にある領域のうちの一方の領域（本実施形態においては、他方の第三部位２２になる領域）に糊代となる領域（採番しない）を含む。この糊代となる領域が第一部位２０になる領域に貼り合わされることで、本体部２は、第一部位２０、第二部位２１、第三部位２２，２２が連続し、無端環状をなす（図１参照）。
【００２１】
このように本体部２が紙材Ｍから作製されるに伴い、第一部位２０、第二部位２１、及び第三部位２２，２２のそれぞれは、厚みを有し、該厚み方向に第一面と該第一面の反対側の第二面とを有する。そして、第一部位２０、第二部位２１、及び第三部位２２，２２のそれぞれの第一面は、同方向を向いて連続面を構成し、第一部位２０、第二部位２１、及び第三部位２２，２２のそれぞれの第二面は、同方向を向いて連続面を構成する。本実施形態において、紙材Ｍが本体部２になった状態（無端環状にされた状態）で、第一部位２０、第二部位２１、及び第三部位２２，２２のそれぞれの第一面は、内側を向き、第一部位２０、第二部位２１、及び第三部位２２，２２のそれぞれの第二面は、外側を向く。
【００２２】
図１及び図２に示す如く、第一部位２０、第二部位２１、及び第三部位２２，２２のそれぞれは、平面視四角形状に形成される。より具体的に説明すると、第一部位２０及び一対の第三部位２２，２２は、一方向に長手をなした平面視長方形形状に形成される。
【００２３】
第二部位２１は、一方向に長手をなした平面視長方形状をなす複数の画像配置領域２１０…であって、該画像配置領域２１０…の長手方向（一方向）と直交する方向（短手方向）に並ぶ複数の画像配置領域２１０…で構成される。これに伴い、第二部位２１は、それぞれが平面視長方形状をなす複数の画像配置領域２１０…が並ぶことで、展開視四角形状に形成される（図２参照）。
【００２４】
第一部位２０、第二部位２１における画像配置領域２１０…、及び第三部位２２，２２の長手方向の長さは、同一又は同一に設定される。本実施形態において、第一部位２０、第二部位２１における画像配置領域２１０…、及び第三部位２２，２２の短手方向の長さも、同一又は同一に設定される。
【００２５】
本実施形態の第一部位２０において、一対の覗き部２００，２００は、当該第一部位２０の長手方向に間隔をあけて配置される。一対の覗き部２００，２００のそれぞれは、第一部位２０を貫通する貫通穴Ｈと、貫通穴Ｈに対応して配置されるレンズＬとを含む。
【００２６】
第二部位２１の複数の画像配置領域２１０…のそれぞれは、一対の視差画像Ｐ，Ｐを有する。一対の視差画像Ｐ，Ｐのうちの一方の視差画像Ｐは、観賞者の右目用の画像であり、一対の視差画像Ｐ，Ｐのうちの他方の視差画像Ｐは、観賞者の左目用の画像である。なお、複数の画像配置領域２１０…のそれぞれに配置される一対の視差画像Ｐ，Ｐは、異なる画像である。
【００２７】
複数の画像配置領域２１０…のそれぞれにおいて、一対の視差画像Ｐ，Ｐは、一対の覗き部２００，２００の配置に対応するように当該画像配置領域２１０…の長手方向に並んで配置される。
【００２８】
一対の第三部位２２，２２のそれぞれの短手方向の長さは、第一部位２０の覗き部２００，２００の焦点距離に対応して設定される。一対の第三部位２２，２２のうちの少なくとも何れか一方は、開口部２２０を有する。本実施形態において、一対の第三部位２２，２２のそれぞれが、開口部２２０を有する。
【００２９】
折り曲げ部２３…は、上述の如く、第一部位２０と一対の第三部位２２，２２のそれぞれとの間、第二部位２１と一対の第三部位２２，２２のそれぞれとの間、及び隣り合う画像配置領域２１０…同士の間に配置される。各折り曲げ部２３…は、隣り合う部位の境界と同方向に延びる少なくとも一本の折り曲げ予定線を含む。本実施形態において、折り曲げ部２３…は、一本の折り曲げ予定線を含む。すなわち、折り曲げ部２３…は、一本の折り曲げ予定線で構成される。本実施形態において、本体部２が紙材Ｍで構成されるため、折り曲げ予定線は、プレス成型により形成される。すなわち、折り曲げ予定線は、両側にある領域よりも厚みが薄くなっている。
【００３０】
間隔維持部３は、観賞者によって選択される単一の画像配置領域２１０と該画像配置領域２１０と対向する第一部位２０との間隔を一定又は略一定に維持させる。より具体的に説明すると、間隔維持部３は、第一部位２０における前記連結方向と直交する方向の端部又は選択された単一の画像配置領域２１０における前記連結方向と直交する方向の端部の何れか一方に接続される接続部３０と、第一部位２０における前記連結方向と直交する方向の端部又は選択された単一の画像配置領域２１０における前記連結方向と直交する方向の端部の何れか他方に干渉可能な干渉部３１とを含む。
【００３１】
接続部３０が第一部位２０の端部又は単一の画像配置領域２１０…における端部の何れか一方に接続され且つ干渉部３１が第一部位２０の端部又は単一の画像配置領域２１０…における端部の何れか他方に干渉した状態で、間隔維持部３は、第一部位２０と選択される単一の画像配置領域２１０との間隔を、一対の覗き部２００，２００から視認した一対の視差画像Ｐ，Ｐが立体的に視認可能となる一対の覗き部２００，２００からの焦点距離と同一又は略同一の間隔で維持させる。
【００３２】
本実施形態において、上述の如く、紙材Ｍが本体部２となる領域と間隔維持部３になる領域を含んでおり、間隔維持部３も本体部２と同様に紙材Ｍで形成される。これに伴い、間隔維持部３は、平面視四角形状に形成され、外周の四辺のうちの一辺が、接続部３０として第一部位２０の長手方向の端縁に接続されている。具体的に説明すると、間隔維持部３は、平面視四角形状の維持部本体３２であって、外周の四辺のうちの一辺を接続部３０とした維持部本体３２と、接続部３０とする一辺の反対側の一辺に接続された干渉部３１である突片とを備える。本実施形態に係る間隔維持部３において、接続部３０が第一部位２０に対して折り曲げ可能に接続される。また、突片は、維持部本体３２に対して折り曲げ可能に接続される。維持部本体３２の接続部３０となる一辺と突片の接続された一辺との間隔は、第一部位２０の覗き部２００，２００の焦点距離に対応して設定される。すなわち、維持部本体３２の接続部３０となる一辺と干渉部３１である突片の接続された一辺との間隔は、一対の第三部位２２，２２のそれぞれの短手方向の長さと同一又は略同一である。
【００３３】
本実施形態に立体画像観賞具１は、上記構成を備えることで、観賞者に選択される単一の画像配置領域２１０…と第一部位２０とが対向可能である。
【００３４】
より具体的に説明すると、図３に示す如く、観賞者が一列に並ぶ三つの画像配置領域２１０…のうちの一方の第三部位２２側にある画像配置領域２１０の一対の視差画像Ｐ，Ｐを立体的な画像として観賞する場合、一対の第三部位２２，２２を第一部位２０との間の折り曲げ部２３…で曲げ、一対の第三部位２２，２２を第一部位２０に対して直角又は略直角にするとともに、第二部位２１を一方の第三部位２２との間の折り曲げ部２３…で曲げ、第二部位２１を一方の第三部位２２に対して直角にする。この状態で、一方の第三部位２２側にある画像配置領域２１０…は、第一部位２０と対向する。すなわち、一対の覗き部２００，２００が選択した一対の視差画像Ｐ，Ｐと対応した配置になる。そして、この状態において、間隔維持部３を第一部位２０に対して直角になるように接続部３０で曲げるとともに、干渉部３１を維持部本体３２に対して直角に曲げ、干渉部３１を選択した画像配置領域２１０に干渉（重ねる）ことで、図６に示す如く、第一部位２０（一対の覗き部２００，２００）と選択した画像配置領域２１０（一対の視差画像Ｐ，Ｐ）とが所定の間隔（覗き部２００のレンズＬの焦点距離と対応した間隔）で位置決めされる。
【００３５】
本実施形態において、上記態様にした場合、図３に示す如く、残りの二つの画像配置領域２１０…が互いの間にある折り曲げ部２３で折り返されるとともに、この二つの画像配置領域２１０，２１０のうちの一方の画像配置領域２１０が他方の第三部位２２との間の折り曲げ部２３で曲がって他方の第三部位２２に対して直角又は略直角に曲がることで、第一部位２０、一対の第三部位２２，２２、及び選択した画像配置領域２１０とが角筒状になり、観賞者が本体部２を把持し易い形態になる。
【００３６】
次に、観賞者が一列に並ぶ三つの画像配置領域２１０…のうちの真ん中にある画像配置領域２１０の一対の視差画像Ｐ，Ｐを立体的な画像として観賞する場合、図４に示す如く、本体部２を各折り曲げ部２３…で曲げる。この状態において、図６に示す如く、間隔維持部３を第一部位２０に対して直角になるように接続部３０で曲げるとともに、干渉部３１を維持部本体３２に対して直角に曲げ、干渉部３１を選択した画像配置領域２１０に干渉（重ねる）。この状態で、一方の第三部位２２側にある画像配置領域２１０は、第一部位２０と対向する。すなわち、一対の覗き部２００，２００が選択した一対の視差画像Ｐ，Ｐと対応した配置になるとともに、第一部位２０（一対の覗き部２００，２００）と選択した画像配置領域２１０（一対の視差画像Ｐ，Ｐ）とが所定の間隔（覗き部２００，２００のレンズＬの焦点距離と対応した間隔）で位置決めされる。
【００３７】
次に、観賞者が一列に並ぶ三つの画像配置領域２１０…のうちの他方の第三部位２２側にある画像配置領域２１０の一対の視差画像Ｐ，Ｐを立体的な画像として観賞する場合、図５に示す如く、一対の第三部位２２，２２を第一部位２０との間の折り曲げ部２３…で曲げ、一対の第三部位２２，２２を第一部位２０に対して直角又は略直角にするとともに、第二部位２１を他方の第三部位２２との間の折り曲げ部２３で曲げ、第二部位２１を他方の第三部位２２に対して直角にする。この状態で、他方の第三部位２２側にある画像配置領域２１０は、第一部位２０と対向する。すなわち、一対の覗き部２００，２００が選択した一対の視差画像Ｐ，Ｐと対応した配置になる。そして、この状態において、図６に示す如く、間隔維持部３を第一部位２０に対して直角になるように接続部３０で曲げるとともに、干渉部３１を維持部本体３２に対して直角に曲げ、干渉部３１を選択した画像配置領域２１０に干渉（重ねる）ことで、第一部位２０（一対の覗き部２００，２００）と選択した画像配置領域２１０（一対の視差画像Ｐ，Ｐ）とが所定の間隔（覗き部２００，２００のレンズＬの焦点距離と対応した間隔）で位置決めされる。
【００３８】
本実施形態において、上記態様にした場合においても、図５に示す如く、残りの二つの画像配置領域２１０…が互いの間にある折り曲げ部２３で折り返されるとともに、その二つの画像配置領域２１０…のうちの一方の画像配置領域２１０が一方の第三部位２２との間の折り曲げ部２３…で曲がって一方の第三部位２２に対して直角又は略直角に曲がることで、第一部位２０、一対の第三部位２２，２２、及び選択した画像配置領域２１０とが角筒状になり、観賞者が本体部２を把持し易い形態になる。
【００３９】
以上のように、立体画像観賞具１は、間隔をあけて配置された一対の覗き部２００，２００であって、観賞者が接眼する一対の覗き部２００，２００を有する第一部位２０と、一対の覗き部２００，２００が間隔をあける方向と同方向に並ぶ一対の視差画像Ｐ，Ｐをそれぞれ含む二つ以上の画像配置領域２１０…であって、連続して一列に並ぶ二つ以上の画像配置領域２１０…で構成される第二部位２１と、第一部位２０の両端と第二部位２１における二つ以上の画像配置領域２１０…の並ぶ方向の両端とを接続し、それぞれが第一部位２０及び第二部位２１と繋がる一対の第三部位２２，２２とを含む本体部２を備え、該本体部２は、第一部位２０と一対の第三部位２２，２２のそれぞれとの間、第二部位２１と一対の第三部位２２，２２のそれぞれとの間、及び隣り合う画像配置領域２１０…同士の間に配置された複数の折り曲げ部２３…であって、それぞれが折り曲げ自在な複数の折り曲げ部２３…を含み、第一部位２０、第二部位２１及び第三部位２２，２２が繋がる連結方向における一対の第三部位２２，２２のそれぞれの長さ及び同方向における二つ以上の画像配置領域２１０…のそれぞれの長さは、同一又は略同一に設定され、選択される単一の画像配置領域２１０と第一部位２０とが対向可能に構成される。
【００４０】
上記構成によれば、本体部２を折り曲げ部２３…で適宜折り曲げることで、第二部位２１にある複数の画像配置領域２１０…を選択的に第一部位２０と対向させ、一対の覗き部２００，２００を選択した画像配置領域２１０にある一対の視差画像Ｐ，Ｐに対応した配置にすることができる。また、第一部位２０、第二部位２１及び第三部位２２，２２が繋がる連結方向における一対の第三部位２２，２２のそれぞれの長さ及び同方向における二つ以上の画像配置領域２１０…のそれぞれの長さは、同一又は略同一に設定されることで、本体部２を折り曲げ部２３…で曲げたときに、互いに対向する選択した画像配置領域２１０と第一部位２０との間隔が強制的に覗き部２００，２００における焦点距離よりも短い間隔にならないため、画像を鮮明に観賞することができる。
【００４１】
本実施形態において、立体画像観賞具１は、選択される単一の画像配置領域２１０と該画像配置領域２１０と対向する第一部位２０との間隔を一定又は略一定に維持させる間隔維持部３を更に備え、間隔維持部３は、第一部位２０における前記連結方向と直交する方向の端部又は選択された単一の画像配置領域２１０…における前記連結方向と直交する方向の端部の何れか一方に接続される接続部３０と、第一部位２０における前記連結方向と直交する方向の端部又は選択された単一の画像配置領域２１０…における前記連結方向と直交する方向の端部の何れか他方に干渉可能な干渉部３１とを含み、接続部３０が第一部位２０の端部又は単一の画像配置領域２１０…における端部の何れか一方に接続され且つ干渉部３１が第一部位２０の端部又は単一の画像配置領域２１０…における端部の何れか他方に干渉した状態で、第一部位２０と選択される単一の画像配置領域２１０…との間隔を、一対の覗き部２００，２００から視認した一対の視差画像Ｐ，Ｐが立体的に視認可能となる一対の覗き部２００，２００からの焦点距離と同一又は略同一の間隔で維持させる。このようにすれば、第一部位２０に対して何れの画像配置領域２１０…を対向させても、第一部位２０と選択した画像配置領域２１０との間隔が覗き部２００，２００の焦点距離と同一又は略同一であるため、第一部位２０と画像配置領域２１０…との間隔を調整することなく、選択した画像配置領域２１０にある一対の視差画像Ｐ，Ｐを立体的な画像として鮮明に観賞することができる。
【００４２】
また、一対の第三部位２２，２２のうちの少なくとも何れか一方は、開口部２２０を有するため、開口部２２０を介して外部の光を本体部２内に取り込むことができる。これにより、選択された画像配置領域２１０内の一対の視差画像Ｐ，Ｐが明瞭な状態で視認できる。
【００４３】
また、前記連結方向における第一部位２０の長さが、前記連結方向における第三部位２２，２２の長さと同一又は略同一に設定されるため、第一部位２０、第二部位２１の画像配置領域２１０、及び第三部位２２が連結方向において同寸になり、見栄えが良く、取り扱いのよいものになる。
【００４４】
なお、本発明は、上記実施形態に限定されるものではなく、本発明の要旨を逸脱しない範囲で、適宜変更を加え得ることは勿論である。
【００４５】
上記実施形態において、連結方向における第一部位２０の長さが、前記連結方向における第三部位２２，２２の長さと同一又は略同一に設定されたが、これに限定されない。例えば、第一部位２０の長さは、連結方向における第三部位２２，２２の長さと異なる長さに設定されてもよい。但し、第一部位２０と選択された画像配置領域２１０とが対向した状態で、これらを平行又は略平行な状態にするために、連結方向における一対の第三部位２２，２２のそれぞれの長さ及び同方向における二つ以上の画像配置領域２１０…のそれぞれの長さが、同一又は略同一に設定されることが前提である。
【００４６】
上記実施形態において、各折り曲げ部２３…が一本の折り曲げ予定線で構成されたが、これに限定されない。例えば、各折り曲げ部２３…は、複数の折り曲げ予定線を含んだ幅のある領域であってもよい。
【００４７】
上記実施形態において、第二部位２１が三つの画像配置領域２１０…で構成されたが、これに限定されない。例えば、第二部位２１が二つの画像配置領域２１０で構成されてもよい。また、図７〜図１０に示す如く、第二部位２１が四つ以上の画像配置領域２１０…で構成されてもよい。このようにしても、図８（ａ）〜図８（ｄ）、及び図１０（ａ）〜図１０（ｅ）のように、本体部２に対する折り曲げ部２３…による折り曲げ位置を適宜変更することで、第一部位２０（一対の覗き部２００，２００）と選択した画像配置領域２１０（一対の視差画像Ｐ，Ｐ）とを対向させることができる。この場合においても、立体画像観賞具１が間隔維持部３を備えることで、第一部位２０（一対の覗き部２００，２００）と選択した画像配置領域２１０（一対の視差画像Ｐ，Ｐ）との間隔を覗き部２００，２００の焦点距離に対応した間隔にすることができる。
【００４８】
上記実施形態において、覗き部２００，２００がレンズＬを含んだが、これに限定されない。覗き部２００，２００は、単なる貫通穴Ｈであってもよい。この場合、観賞者の目を基準に焦点距離が決定される。従って、間隔維持部３（維持部本体３２）が設けられる場合、間隔維持部３（維持部本体３２）の長さは、その焦点距離と同一又は略同一に設定される。また、二つ以上ある画像配置領域２１０…のうちの両端にある画像配置領域２１０を第一部位２０と対向させた状態において、一対の第三部位２２，２２を第一部位２０に対して直角又は略直角にする場合、連結方向における第三部位２２，２２及び画像配置領域２１０…の長さも、その焦点距離と同一又は略同一に設定される。
【００４９】
上記実施形態において、立体画像観賞具１が間隔維持部３を備えたが、これに限定されない。間隔維持部３は、必要に応じて設けられればよい。
【００５０】
上記実施形態において、本体部２と間隔維持部３とが一体にされたが、これに限定されない。立体画像観賞具１が間隔維持部３を備える場合、例えば、間隔維持部３は、本体部２に対して別体で構成されてもよい。この場合、間隔維持部３の接続部３０は、本体部２の第一部位２０又は選択した画像配置領域２１０の何れか一方の端部（上記実施形態における長手方向に相当する方向の端部）に対して接続可能（例えば、挟み込み可能）に構成され、干渉部３１は、本体部２の第一部位２０又は選択した画像配置領域２１０の何れか他方の端部（上記実施形態における長手方向に相当する方向の端部）に干渉可能であればよい。なお、この場合において、干渉部３１における干渉は、端部に対する単なる干渉であってもよいし、接続部３０と同様に端部に対して接続された状態であってもよい。
【００５１】
上記実施形態において、本体部２及び間隔維持部３が紙材Ｍから作製されたが、これに限定されない、例えば、本体部２や間隔維持部３は、樹脂成型品であってもよい。但し、折り曲げ部２３…で折り曲げ可能にすることは必須であり、この場合においても、折り曲げ部２３…は、両側の部位よりも薄く形成してもよいし、第一部位２０、第二部位２１（画像配置領域２１０…）、第三部位２２，２２のそれぞれを独立した部品として形成し、これらを折り曲げ部２３…としてのヒンジ等を介して接続してもよい。
【００５２】
上記実施形態において、第一部位２０の一対の覗き部２００，２００が第一部位２０、第二部位２１、及び第三部位２２，２２が繋がる連結方向と直交する方向に並んだが、これに限定されない。例えば、第一部位２０の一対の覗き部２００，２００が第一部位２０、第二部位２１、及び第三部位２２，２２が繋がる連結方向に並んでもよいし、第一部位２０の一対の覗き部２００，２００が第一部位２０、第二部位２１、及び第三部位２２，２２が繋がる連結方向に対して傾斜する方向に並んでもよい。但し、各画像配置領域２１０…の一対の視差画像Ｐ，Ｐが一対の覗き部２００，２００の配置に対応した配置にされることは言うまでもない。
【符号の説明】
【００５３】
１…立体画像観賞具、２…本体部、３…間隔維持部、２０…第一部位、２１…第二部位、２２…第三部位、２３…折り曲げ部、３０…接続部、３１…干渉部、３２…維持部本体、２００…覗き部、２１０…画像配置領域、２２０…開口部、Ｈ…貫通穴、Ｌ…レンズ、Ｍ…紙材、Ｐ…視差画像
【図１】
2018197839.tif 000003
【図２】
2018197839.tif 000004
【図３】
2018197839.tif 000005
【図４】
2018197839.tif 000006
【図５】
2018197839.tif 000007
【図６】
2018197839.tif 000008
【図７】
2018197839.tif 000009
【図８】
2018197839.tif 000010
【図９】
2018197839.tif 000011
【図１０】
2018197839.tif 000012
【手続補正書】
【提出日】平成30年6月5日(2018.6.5)
【手続補正１】
【補正対象書類名】特許請求の範囲
【補正対象項目名】全文
【補正方法】変更
【補正の内容】
【特許請求の範囲】
【請求項１】
間隔をあけて配置された一対の覗き部であって、観賞者が接眼する一対の覗き部を有する第一部位と、一対の覗き部が間隔をあける方向と同方向に並ぶ一対の視差画像をそれぞれ含む二つ以上の画像配置領域であって、連続して一列に並ぶ二つ以上の画像配置領域で構成される第二部位と、第一部位の両端と第二部位における二つ以上の画像配置領域の並ぶ方向の両端とを接続し、それぞれが第一部位及び第二部位と繋がる一対の第三部位とを含む本体部を備え、該本体部は、第一部位と一対の第三部位のそれぞれとの間、第二部位と一対の第三部位のそれぞれとの間、及び隣り合う画像配置領域同士の間に配置された複数の折り曲げ部であって、それぞれが折り曲げ自在な複数の折り曲げ部を含み、第一部位、第二部位及び第三部位が繋がる連結方向における一対の第三部位のそれぞれの長さ及び同方向における二つ以上の画像配置領域のそれぞれの長さは、同一又は略同一に設定され、選択される単一の画像配置領域と第一部位とが対向可能に構成され、本体部に対する折り曲げ部による折り曲げ位置を変更することで、選択される単一の画像配置領域と第一部位とが対向することを特徴とする立体画像観賞具。
【請求項２】
選択される単一の画像配置領域と該画像配置領域と対向する第一部位との間隔を一定又は略一定に維持させる間隔維持部を更に備え、間隔維持部は、第一部位における前記連結方向と直交する方向の端部又は選択された単一の画像配置領域における前記連結方向と直交する方向の端部の何れか一方に接続される接続部と、第一部位における前記連結方向と直交する方向の端部又は選択された単一の画像配置領域における前記連結方向と直交する方向の端部の何れか他方に干渉可能な干渉部とを含み、接続部が第一部位の端部又は単一の画像配置領域における端部の何れか一方に接続され且つ干渉部が第一部位の端部又は単一の画像配置領域における端部の何れか他方に干渉した状態で、第一部位と選択される単一の画像配置領域との間隔を、一対の覗き部から視認した一対の視差画像が立体的に視認可能となる一対の覗き部からの焦点距離と同一又は略同一の間隔で維持させる請求項１に記載の立体画像観賞具。
【請求項３】
一対の第三部位のうちの少なくとも何れか一方は、開口部を有している請求項１又は２に記載の立体画像観賞具。
【手続補正２】
【補正対象書類名】明細書
【補正対象項目名】００１０
【補正方法】変更
【補正の内容】
【００１０】
本発明に係る立体画像観賞具は、間隔をあけて配置された一対の覗き部であって、観賞者が接眼する一対の覗き部を有する第一部位と、一対の覗き部が間隔をあける方向と同方向に並ぶ一対の視差画像をそれぞれ含む二つ以上の画像配置領域であって、連続して一列に並ぶ二つ以上の画像配置領域で構成される第二部位と、第一部位の両端と第二部位における二つ以上の画像配置領域の並ぶ方向の両端とを接続し、それぞれが第一部位及び第二部位と繋がる一対の第三部位とを含む本体部を備え、該本体部は、第一部位と一対の第三部位のそれぞれとの間、第二部位と一対の第三部位のそれぞれとの間、及び隣り合う画像配置領域同士の間に配置された複数の折り曲げ部であって、それぞれが折り曲げ自在な複数の折り曲げ部を含み、第一部位、第二部位及び第三部位が繋がる連結方向における一対の第三部位のそれぞれの長さ及び同方向における二つ以上の画像配置領域のそれぞれの長さは、同一又は略同一に設定され、選択される単一の画像配置領域と第一部位とが対向可能に構成され、本体部に対する折り曲げ部による折り曲げ位置を変更することで、選択される単一の画像配置領域と第一部位とが対向することを特徴とする。